(57)【要約】【課題】  ホストとプリンタとのラスタライズ分担では、印刷時間の短縮が困難である。【解決手段】  判断部１１６は、印刷データのＰＪＬ情報に基づいて印刷データが受信済みか否かを判断し、未受信であると印刷データ記憶部１１５に記憶させて受信通知を出力し、受信済みであると置換指示を出力する。廃棄置換部は、受信通知を受け、ビットマップデータ作成部１１８がデータ作成中であるとビットマップへの変換要求情報を画像処理装置１３へ出力させ、置換指示を受け、印刷データ記憶部１１５の対応する印刷データに対し受信印刷データをビットマップデータとして置換し、記憶部１１５に無いと処理終了として受信印刷データを廃棄する。【選択図】    図１
2011240509.tif 000002
【特許請求の範囲】
【請求項１】
画像処理装置から受信した印刷データに基づいて印刷を行う画像形成装置において、
印刷データを記憶するための印刷データ記憶部と、
前記印刷データ記憶部の印刷データをビットマップデータに変換するビットマップデータ作成部と、
受信した印刷データが先に受信済みの印刷データか否かを判断し、未受信の印刷データであると前記印刷データ記憶部に記憶させて廃棄置換部に受信通知を行い、受信済みの印刷データであると前記廃棄置換部に置換指示を行う判断部とを含み、
前記廃棄置換部は前記受信通知を受けると前記ビットマップデータ作成部がデータ作成中か否かを判定し、データ作成中であると前記記憶された未受信の印刷データのビットマップ変換を要求する変換要求情報を送信部により前記画像処理装置に送信させ、前記置換指示を受けると前記印刷データ記憶部に対応する印刷データが格納されているか否かを判定し、格納されていると前記受信済み印刷データをビットマップデータであると判断して前記対応する印刷データと置換し、未格納であると前記対応する印刷データが処理済として前記受信済み印刷データを廃棄する、
ことを特徴とする画像形成装置。
【請求項２】
前記印刷データに識別情報が付加され、
前記判断部は前記識別情報に基づいて前記印刷データの受信済か否かを判断し、
前記廃棄置換部は前記識別情報に基づいて前記印刷データ記憶部に前記印刷データが格納されているか否かを判定する、
ことを特徴とする請求項１記載の画像形成装置。
【請求項３】
印刷データを画像形成装置に送信する画像処理装置において、
印刷用データが格納されているデータ記憶部と、
前記画像形成装置から印刷データのビットマップ変換を要求する変換要求情報を受けると、前記データ記憶部の変換要求されている印刷用データを判定するデータ特定部と、
前記判定された印刷用データをビットマップの印刷データに変換して送信部から前記画像形成装置に送信させるビットマップデータ作成部と、
を含むことを特徴とする画像処理装置。
【請求項４】
前記印刷データに識別情報を付与する関連づけデータ付与部を有する、ことを特徴とする請求項３記載の画像処理装置。
【請求項５】
画像処理装置から印刷データを画像形成装置に送信して印刷を行う画像形成システムにおいて、
前記画像処理装置は、
印刷用データが格納されているデータ記憶部と、
前記画像形成装置から印刷データのビットマップ変換を要求する変換要求情報を受けると、前記データ記憶部の変換要求されている印刷用データを判定するデータ特定部と、
前記判定された印刷用データをビットマップの印刷データに変換して送信部から前記画像形成装置に送信させるビットマップデータ作成部と、を含み、
前記画像形成装置は、
印刷データを記憶するための印刷データ記憶部と、
前記印刷データ記憶部の印刷データをビットマップデータに変換するビットマップデータ作成部と、
受信した印刷データが先に受信済みの印刷データか否かを判断し、未受信の印刷データであると前記印刷データ記憶部に記憶させて廃棄置換部に受信通知を行い、受信済みの印刷データであると前記廃棄置換部に置換指示を行う判断部とを含み、
前記廃棄置換部は前記受信通知を受けると前記ビットマップデータ作成部がデータ作成中か否かを判定し、データ作成中であると前記記憶された未受信の印刷データのビットマップ変換を要求する変換要求情報を送信部により前記画像処理装置に送信させ、前記置換指示を受けると前記印刷データ記憶部に対応する印刷データが格納されているか否かを判定し、格納されていると前記受信済み印刷データをビットマップデータであると判断して前記対応する印刷データと置換し、未格納であると前記対応する印刷データが処理済として前記受信済み印刷データを廃棄する、
ことを特徴とする画像形成システム。
【発明の詳細な説明】
【技術分野】
【０００１】
本発明は、印刷データを印刷する画像形成装置、印刷データを作成する画像処理装置、およびこれら装置を含む画像処理システムに関する。
【背景技術】
【０００２】
一般にプリンタはＰＤＬ（Ｐａｇｅ  Ｄｅｓｃｒｉｐｔｉｏｎ  Ｌａｎｇａｇｅ）で作成された印刷データを受信すると、印刷データをラスタライズしてビットマップ化し印刷を行う。これに対し、ＧＤＩ（Ｇｒａｐｈｉｃａｌ  Ｄｅｖｉｃｅ  ｉｎｔａｒａｃｅ）プリンタやホストベースプリンタでは、上位装置で描画データをビットマップ化して作成した印刷データを受信し、印刷を行う。
ところで、下記特許文献には、プリンタがＰＤＬで作成した印刷データを複数受信した場合、プリンタ側で印刷データを送信してきたホストとプリンタ間の通信速度、自己が保持している印刷データの処理時間を予測し、全体の印刷時間が最短になるようにプリンタとホストでラスタライズ処理を分担する方式が開示されている。
【先行技術文献】
【特許文献】
【０００３】
【特許文献１】特開平２６−３５４８７
【発明の概要】
【発明が解決しようとする課題】
【０００４】
しかし、上記した分担方式では、制御構成が複雑になる上に通信速度が変動したり印刷データの処理時間がプリンタの使用状況によって変動するため、必ずしも印刷時間の短縮を図ることができない。
【課題を解決するための手段】
【０００５】
本発明は、画像処理装置から受信した印刷データに基づいて印刷を行う画像形成装置において、印刷データを記憶するための印刷データ記憶部と、前記印刷データ記憶部の印刷データをビットマップデータに変換するビットマップデータ作成部と、受信した印刷データが先に受信済みの印刷データか否かを判断し、未受信の印刷データであると前記印刷データ記憶部に記憶させて廃棄置換部に受信通知を行い、受信済みの印刷データであると前記廃棄置換部に置換指示を行う判断部とを含み、前記廃棄置換部は前記受信通知を受けると前記ビットマップデータ作成部がデータ作成中か否かを判定し、データ作成中であると前記記憶された未受信の印刷データのビットマップ変換を要求する変換要求情報を送信部により前記画像処理装置に送信させ、前記置換指示を受けると前記印刷データ記憶部に対応する印刷データが格納されているか否かを判定し、格納されていると前記受信済み印刷データをビットマップデータであると判断して前記対応する印刷データと置換し、未格納であると前記対応する印刷データが処理済として前記受信済み印刷データを廃棄する、ことを特徴とする。
【０００６】
他の発明は、印刷データを画像形成装置に送信する画像処理装置において、印刷用データが格納されているデータ記憶部と、前記画像形成装置から印刷データのビットマップ変換を要求する変換要求情報を受けると、前記データ記憶部の変換要求されている印刷用データを判定するデータ特定部と、前記判定された印刷用データをビットマップの印刷データに変換して送信部から前記画像形成装置に送信させるビットマップデータ作成部と、を含むことを特徴とする。
【０００７】
更に他の発明は、画像処理装置から印刷データを画像形成装置に送信して印刷を行う画像形成システムにおいて、前記画像処理装置は、印刷用データが格納されているデータ記憶部と、前記画像形成装置から印刷データのビットマップ変換を要求する変換要求情報を受けると、前記データ記憶部の変換要求されている印刷用データを判定するデータ特定部と、前記判定された印刷用データをビットマップの印刷データに変換して送信部から前記画像形成装置に送信させるビットマップデータ作成部と、を含み、前記画像形成装置は、印刷データを記憶するための印刷データ記憶部と、前記印刷データ記憶部の印刷データをビットマップデータに変換するビットマップデータ作成部と、受信した印刷データが先に受信済みの印刷データか否かを判断し、未受信の印刷データであると前記印刷データ記憶部に記憶させて廃棄置換部に受信通知を行い、受信済みの印刷データであると前記廃棄置換部に置換指示を行う判断部とを含み、前記廃棄置換部は前記受信通知を受けると前記ビットマップデータ作成部がデータ作成中か否かを判定し、データ作成中であると前記記憶された未受信の印刷データのビットマップ変換を要求する変換要求情報を送信部により前記画像処理装置に送信させ、前記置換指示を受けると前記印刷データ記憶部に対応する印刷データが格納されているか否かを判定し、格納されていると前記受信済み印刷データをビットマップデータであると判断して前記対応する印刷データと置換し、未格納であると前記対応する印刷データが処理済として前記受信済み印刷データを廃棄する、ことを特徴とする。
【発明の効果】
【０００８】
本発明によれば、画像処理装置から画像形成装置に印刷データを送信した際、画像形成装置がすでに他の印刷データを処理していた場合、画像処理装置側でこの印刷データをビットマップ化して再送するので、印刷時間を短縮できる。
【図面の簡単な説明】
【０００９】
【図１】図１は実施例１の構成を示すブロック図である。
【図２】図２は実施例１のドライバ１２のフローチャートである。
【図３】図３は実施例１の印刷装置１３のフローチャートである。
【図４】図４は実施例１の廃棄置換部１１７が関連する印刷データを受信した場合のフローチャートである。
【図５】図５は実施例１の判断部１１６の判断フローチャートである。
【図６】図６は実施例１の動作の概要フローチャートである。
【図７】図７は実施例２の第２印刷データ作成部１９の動作フローチャートである。
【図８】図８は実施例２の判断部１１６の判断フローチャートである。
【図９】図９は実施例２の廃棄置換部１１７が関連する印刷データを受信した場合のフローチャートである。
【図１０】図１０は実施例２のビットマップデータ作成部１１８の動作フローチャートである。
【発明を実施するための形態】
【実施例１】
【００１０】
図１は実施例１の構成を示すブロック図である。
ＰＣ１１は上位装置であり、画像形成装置である印刷装置１３とネットワーク等で接続されている。
【００１１】
ＰＣ１１はアプリケーション１４、記憶装置１５、ドライバ１２で構成されている。
アプリケーション１４は文章やイメージの作成等を行う一般的なソフトウェアである。アプリケーション１４は記憶装置１５内のドキュメントＡ１６０もしくはドキュメントＢ１２０もしくはドキュメントＣ１２１を開き、利用者等から印刷を指示されると各ドキュメントの画像データをドライバ１２へ供給する機能を有している。ここで、画像データとはドキュメントに基づいたデータである。
【００１２】
ドライバ１２は印刷装置１３に対応するドライバであり、画像データ記憶部１７０、第１印刷データ作成部１８０、第２印刷データ作成部１９０、関連づけデータ付与部１１０、送信部１１１、受信部１１２で構成されている。
【００１３】
画像データ記憶部１７０は、アプリケーション１４が供給した画像データを記憶し、第１印刷データ作成部１８０が画像データに基づいてＰＤＬにて印刷データを作成すると使用された描画データ等が削除される。ここで印刷データとは印刷ジョブである。
【００１４】
第１印刷データ作成部１８０は、上記したように、画像データ記憶部１７０に記憶された画像データに基づきＰＤＬにて印刷データを作成した後、関連づけデータ付与部１１０から取得したＰＪＬ（Ｐｒｉｎｔｅｒ  Ｊｏｂ  Ｌａｎｇｕａｇｅ）ＩＤ情報をこの印刷データの先頭に挿入する。
【００１５】
第２印刷データ作成部１９０は、関連づけデータ付与部１１０から通知された印刷データに基づきビットマップにて印刷データを作成する。また、関連づけデータ付与部１１０から取得したＰＪＬ指定ＩＤ情報をこのビットマップ印刷データの先頭に挿入する。
【００１６】
関連づけデータ付与部１１０は、第１印刷データ作成部１８０からＰＪＬのＩＤ情報の取得要求を受けると、第１印刷データ作成部１８０が作成している印刷データにＩＤを割り当て、この割り当てたＩＤであることを意味するＰＪＬのＩＤ情報を作成し、第１印刷データ作成部１８０に通知する。ここでＩＤは印刷装置１３に印刷データを送信する全てのＰＣ毎に異なる情報であるＩＰアドレスと各ＰＣが独自に割当てられてる数値により形成され、印刷装置１３にその時点で送信されている全ての印刷データごとに割当て数値が異なっている。従って、関連づけデータ付与部１１０が保持している複数の印刷データや印刷装置１３の印刷データ記憶部１１５内の印刷データは、ＩＤ情報（ＰＪＬ）により一意的に特定することができる。
【００１７】
関連づけデータ付与部１１０は受信部１１２が受信したビジー情報（印刷装置１３から）がビジーであると判断すると、ビジー情報のＩＤ情報と一致するＩＤ情報を付与されている印刷データを保持している場合、ビジー情報のＩＤと関連することを意味するＰＪＬの指定ＩＤ情報を作成し、第２印刷データ作成部１９０にＩＤ情報に対応する印刷データを通知する。
【００１８】
これに対し、受信部１１２が受信したビジー情報がレディであると判断すると、ビジー情報のＩＤ情報に該当する印刷データを保持していた場合破棄する。
ここでビジー情報とは印刷装置１３が以前に送信された印刷データとは関連しない印刷データを受信した時にその印刷データを送信してきたＰＣに対して送信する受信確認情報で、ＩＤ情報と印刷データを受信した時の印刷装置１３の状態であるビジーもしくはレディの情報を含んでいる。
【００１９】
送信部１１１は第１印刷データ作成部１８０が作成した印刷データ（ＰＤＬ印刷データ）と第２印刷データ作成部１９０が作成した印刷データ（ビットマップ印刷データ）を印刷装置１３に送信する。
【００２０】
受信部１１２は、印刷装置１３が送信するビジー情報を受信する。
【００２１】
印刷装置１３は、受信部１１３、送信部１１４、印刷データ記憶部１１５、判断部１１６、廃棄置換部１１７、ビットマップデータ作成部１１８、印刷部１１９で構成されている。
【００２２】
受信部１１３は、ＰＣ１１が送信する印刷データを受信する。
【００２３】
送信部１１４は、ＰＣ１１へビジー情報を送信する。
【００２４】
印刷データ記憶部１１５は、受信部１１３が受信した印刷データが記憶される。また、印刷部１１９が印刷を行った印刷データは削除される。
【００２５】
判断部１１６は、受信部１１３が受信した印刷データの先頭のＰＪＬ情報を解析し、その印刷データが以前に受信した印刷データに関連（同一）しているか否かを判断する。先頭のＰＪＬ情報が関連を示す指定ＩＤ情報だった場合、受信した印刷データは以前受信した印刷データと同一と判断する。先頭のＰＪＬ情報が関連を示す指定ＩＤ情報ではなかった場合、つまりＩＤ情報の場合、受信した印刷データは以前受信した印刷データとは関連しない印刷データであると判断する。
関連しない印刷データと判断した場合、判断部１１６は印刷データ記憶部１１５に受信部１１３が受信した印刷データを記憶させ、廃棄置換部１１７に印刷データ受信を通知する。関連した印刷データと判断した場合、廃棄置換部１１７に指定ＩＤ情報とともに印刷データの置換を指示する。
【００２６】
廃棄置換部１１７は、印刷データを順番に処理するためキュー１２２を保持し、判断部１１６から印刷データ受信を通知されると、キュー１２２に受信した印刷データのＩＤ情報を登録する。その後、廃棄置換部１１７はビットマップデータ作成部１１８に状態の問い合わせを行う。
【００２７】
ビットマップデータ作成部１１８が待機中（ビットマップ変換処理が可）の場合、廃棄置換部１１７は送信部１１４に印刷データのＩＤ情報を通知し、レディのビジー情報をＰＣ１１に送信するように指示し、ビットマップデータ作成部１１８に処理の開始を通知する。
【００２８】
ビットマップデータ作成部１１８が他の印刷データのビットマップ作成中の場合、廃棄置換部１１７は送信部１１４に印刷データのＩＤ情報を通知し、ビジーのビジー情報をＰＣ１１に送信するように指示する。
【００２９】
廃棄置換部１１７は、上記したように、判断部１１６から関連する印刷データの置換を指示されると、キュー１２２に登録されているＩＤ情報の中に指定ＩＤ情報と一致するＩＤ情報があるか否かを調べ、該当するＩＤ情報が存在する場合、ＩＤ情報に対応する印刷データを受信した関連する印刷データに差し替える。該当するＩＤ情報が存在しない場合、受信した印刷データを破棄する。
また、廃棄置換部１１７はビットマップデータ作成部１１８から次に処理する印刷データの問い合わせを受けるとキュー１２２から１個のＩＤ情報を取り出し、そのＩＤ情報に対応した印刷データをビットマップデータ作成部１１８に通知する。キュー１２２にＩＤ情報が無くなった状態で問い合わせを受けると、ビットマップ作成部１１８に処理の終了を通知する。これにより、ビットマップ作成部１１８は待機状態となる。
【００３０】
キュー１２２は、ＩＤ情報を登録、取得するために設けられ、登録、取得は先入れ先出しで行われる。そして、キュー１２２は廃棄置換部１１７から登録されている全ＩＤ情報の問い合わせを受けると、登録されているＩＤ情報全てを通知する。
【００３１】
ビットマップデータ作成部１１８は、廃棄置換部１１７から、処理の開始を通知されると廃棄置換部１１７に処理を行う印刷データの問い合わせを行い、取得した印刷データからビットマップデータを作成する。取得した印刷データがＰＤＬにより作成されていた場合、ラスタライズし、ビットマップを作成し、印刷部１１９に供給する。取得した印刷データが関連する印刷データの如くビットマップにより作成されていた場合、ビットマップを印刷部１１９に供給する。そして、ビットマップデータ作成部１１８は廃棄置換部１１７から処理の終了を通知されるまで、廃棄置換部１１７に対して処理を行う印刷データの問い合わせとビットマップ作成を繰り返す。
【００３２】
印刷部１１９は、受信したビットマップに基づいて印刷を行う。
【００３３】
次に、実施例１のドライバ１２のフローチャートを示す図２と、実施例１の印刷装置１３のフローチャートを示す図３と、実施例１の廃棄置換部１１７が関連する印刷データを受信した場合のフローチャートを示す図４と、実施例１の判断部１１６の判断のフローチャートを示す図５、及び前記した図１を使って実施例１の動作を説明する。
【００３４】
利用者は、アプリケーション１４上で開いたドキュメントＡ１６０を印刷するためアプリケーション１４に印刷を指示する。印刷指示を受けたアプリケーション１４はドキュメントＡ１６０の画像データをドライバ１２に供給する（Ｓ６１０）。
【００３５】
ドライバ１２は画像データを供給されると、印刷データ作成を開始する。
【００３６】
アプリケーション１４から供給された画像データは、画像データ記憶部１７０が記憶し（Ｓ２１０）、アプリケーション１４は、第１印刷データ作成部１８０に画像データ受信を通知する。
【００３７】
第１印刷データ作成部１８０は画像データ記憶部１７０の画像データからＰＤＬで印刷データを作成し、画像データ記憶部１７０に画像データの削除を指示する（Ｓ２２０）。
関連づけデータ付与部１１０は第１印刷データ作成部１８０の作成した印刷データにＩＤ情報１０．１０．１０．２−１０を割り当て、そのＰＪＬを含む印刷データのＩＤ情報が１０．１０．２−１０であることを意味するＰＪＬのＩＤ情報を取得し、作成した印刷データの先頭に挿入する（Ｓ２２７）。
【００３８】
第１印刷データ作成部１８０は、送信部１１１を介して作成した印刷データを印刷装置１３に送信する（Ｓ２３０）、（Ｓ６２０）と共に、関連づけデータ付与部１１０にも同じ印刷データを供給する（Ｓ２３５）。
【００３９】
関連付けデータ付与部１１０は印刷データを保持する。送信後ドライバ１２は印刷装置１３から送信されるビジー情報の受信待ち状態となる。
【００４０】
印刷装置１３はＰＣ１１から印刷データを受信すると処理を開始する。
即ち、ＰＣ１１から送信された印刷データは受信部１１３が受信し（Ｓ３１０）、印刷データが受信したことを判断部１１６に通知する。
【００４１】
判断部１１６は受信した印刷データが既に受信している印刷データと関連した印刷データかどうかの解析を開始する（Ｓ３２０）。
【００４２】
判断部１１６が受信した印刷データの先頭のＰＪＬ情報を解析し、先頭のＰＪＬ情報がＩＤ情報１０．１０．１０．２−１０を示すと、関連を示す指定ＩＤ情報ではないと判断する（Ｓ５１０）。そしてＩＤ情報１０．１０．２−１０を抽出するとともに関連しない印刷データと判断する（Ｓ５３０）。
【００４３】
上記したように解析した結果受信した印刷データが関連しない印刷データと判断すると（Ｓ３３０）、判断部１１６は印刷データ記憶部１１５に受信した印刷データを記憶させ（Ｓ３４０）、更に判断部１１６は廃棄置換部１１７にＩＤ情報１０．１０．１０．２−１０と印刷データ受信を通知する（Ｓ６３０）。
【００４４】
廃棄置換部１１７はキュー１２２にＩＤ情報１０．１０．１０．２−１０を登録する（Ｓ３５０）。
【００４５】
廃棄置換部１１７はビットマップデータ作成部１１８に状態の問い合わせを行う（Ｓ３６０）（Ｓ６４０）。
【００４６】
廃棄置換部１１７は、ビットマップデータ作成部１１８から待機中を取得すると（Ｓ３７０）、送信部１１４にビジー情報としてＩＤ情報１０．１０．１０．２−１０とレディを送信させる（Ｓ３８０）。更に廃棄置換部１１７はビットマップデータ作成部１１８に処理の開始を通知する（Ｓ６５０）。
【００４７】
ビットマップデータ作成部１１８はビットマップデータ作成を開始する。
【００４８】
ＰＣ１１側においてドライバ１２の受信部１１２はレディのビジー情報を受信すると（Ｓ２４０）、関連づけデータ付与部１１０はＩＤ情報１０．１０．１０．２−１０に対応する印刷データを削除し処理を終了する（Ｓ２８０）（Ｓ６６０）。
【００４９】
印刷装置１３において、ビットマップデータ作成部１１８は廃棄置換部１１７に次に処理する印刷データを問い合わせる（Ｓ３１００）。
【００５０】
廃棄置換部１１７はキュー１２２からＩＤ情報を取り出し、ＩＤ情報１０．１０．１０．２−１０を取得する（Ｓ３１１０）と、印刷データ記憶部１１５からＩＤ情報１０．１０．１０．２−１０に対応する印刷データをビットマップデータ作成部１１８に供給する（Ｓ３１２０）。
【００５１】
ビットマップデータ作成部１１８は通知された印刷データからビットマップデータ作成を開始する（Ｓ６７０）。
【００５２】
次に、利用者は、アプリケーション１４上で開いたドキュメントＢ１２０を印刷するためアプリケーション１４に印刷を指示する。印刷指示を受けたアプリケーション１４はドキュメントＢ１２０の画像データをドライバ１２に供給する（Ｓ６８０）。
【００５３】
ドキュメントＡ１６０のときと同様の手順でＰＣ１１と印刷装置１３は処理を進める。
このとき、ドキュメントＢ１２０から第１印刷データ作成部１８０が作成した印刷データに関連づけデータ付与部１１０が割り振ったＩＤ情報は、１０．１０．１０．２−２０である。
【００５４】
印刷装置１３の廃棄置換部１１７がビットマップデータ作成部１１８に状態の問い合わせを行う（Ｓ６９０）。廃棄置換部１１７は取得したビットマップデータ作成部１１８の状態が、他の印刷データのビットマップ作成中（Ｓ３７０）であると、送信部１１４にビジー情報としてＩＤ１０．１０．１０．２−２０とビジーを送信させる（Ｓ３９０）（Ｓ６１００）。
【００５５】
ＰＣ１１側において、ドライバ１２の受信部１１２はビジーのビジー情報を受信すると、関連づけデータ付与部１１０はビジー情報のＩＤ１０．１０．１０．２−２０に関連することを意味するＰＪＬ情報を作成し、作成したＰＪＬ情報と指定ＩＤ１０．１０．１０．２−２０に対応する印刷データを第２印刷データ作成部１９０に供給する（Ｓ２５０）（Ｓ６１１０）。
【００５６】
第２印刷データ作成部１９０は供給された印刷データからビットマップにより変換して印刷データを作成し（Ｓ２６０）、取得したＰＪＬ情報をこの印刷データの先頭に挿入する（Ｓ６１２０）。
その後、第２印刷データ作成部１９０は、送信部１１１を介して作成した印刷データを印刷装置１３に送信する（Ｓ２７０）（Ｓ６１３０）。
関連づけデータ付与部１１０は第２印刷データ作成部１９０がビットマップの印刷データ作成を完了したのでＩＤ１０．１０．１０．２−２０に対応する印刷データを削除する（Ｓ２８０）。
【００５７】
ＰＣ１１から送信された印刷データを受信部１１３は受信し、印刷データが受信したことを判断部１１６に通知する（Ｓ３１０）。
【００５８】
判断部１１６は受信した印刷データがすでに受信している印刷データと関連した印刷データかどうかの解析を開始する（Ｓ３２０）。
【００５９】
判断部１１６は受信した印刷データの先頭のＰＪＬ情報を解析し、ＰＪＬ情報がＩＤ１０．１０．１０．２−２０と関連することを示す指定ＩＤであると（Ｓ５１０）ＩＤ１０．１０．１０．２−２０を抽出すると共に、関連する印刷データと判断する（Ｓ５２０）。
解析した結果、受信した印刷データが関連する印刷データと判断すると（Ｓ３３０）、ＩＤ１０．１０．１０．２−２０とともに廃棄置換部１１７に印刷データの置換を指示する（Ｓ６１４０）。
【００６０】
廃棄置換部１１７はキュー１２２に登録されている全ＩＤの問い合わせを行い、登録されている全てのＩＤを取得し、キュー１２２にＩＤ１０．１０．１０．２−２０が登録されていると判断すると（Ｓ４１０）、印刷データ記憶部１１５のＩＤ１０．１０．１０．２−２０に対応する印刷データを破棄し、受信した印刷データに置き換える（Ｓ４２０）（Ｓ３１５０）（Ｓ６１５０）
更に、利用者はアプリケーション１４上で開いたドキュメンドＣ１２１を印刷するためアプリケーション１４に印刷を指示する。印刷指示を受けたアプリケーション１４はドキュメントＣ１２１の画像データをドライバ１２に供給する（Ｓ６１６０）。
【００６１】
ドキュメントＢ１２０のときと同様の手段でＰＣ１１と印刷装置１３は処理を進める。このとき、ドキュメントＣ１２１の画像データから第１印刷データ作成部１８０が作成した印刷データに関連づけデータ付与部１１０が割り振ったＩＤは、１０．１０．１０．２−３０である。
【００６２】
ドライバ１２の受信部１１２は、印刷装置１３よりビジーのビジー情報を受信すると、ビジー情報のＩＤ１０．１０．１０．２−３０に関連することを意味するＰＪＬ情報を作成し、作成したＰＪＬ情報とＩＤ１０．１０．１０．２−３０に対応する印刷データを第２印刷データ作成部１９０に供給する（Ｓ２５０）。
【００６３】
第２印刷データ作成部１９０はこの印刷データからビットマップの印刷データ作成を開始する（Ｓ６１７０）。
一方、印刷装置１３側では、この時点で、ビットマップデータ作成部１１８はＩＤ１０．１０．１０．２−１０に対応する印刷データからのビットマップ作成を完了し、印刷部１１９に作成したビットマップデータを供給する（Ｓ３１３０）（Ｓ６１８０）
【００６４】
印刷部１１９は印刷を開始する（Ｓ３１４０）。
【００６５】
ビットマップデータ作成部１１８は引き続き廃棄置換部１１７に次に処理を行う印刷データの問い合わせを行う（Ｓ３１０００）。
【００６６】
廃棄置換部１１７はキュー１２２からＩＤ１０．１０．１０．２−２０を取得すると（Ｓ３１１０）、ＩＤ１０．１０．１０．２−２０に対応する印刷データをビットマップデータ作成部１１８に供給する（Ｓ３１２０）。
【００６７】
ビットマップデータ作成部１１８はビットマップの作成を開始する（Ｓ６１９０）。
【００６８】
ビットマップデータ作成部１１８はＩＤ１０．１０．１０．２−２０に対応する印刷データからのビットマップ作成を完了し、印刷部１１９に作成したビットマップデータを供給する（Ｓ３１３０）（Ｓ６２００）。
【００６９】
印刷部１１９は印刷を開始する（Ｓ３１４０）。
更に、ビットマップデータ作成部１１８は廃棄置換部１１７に次に処理を行う印刷データの問い合わせを行う（Ｓ３１００）。
【００７０】
廃棄置換部１１７はキュー１２２からＩＤ１０．１０．１０．２−３０を取得すると（Ｓ３１１０）、ＩＤ１０．１０．１０．２−３０に対応する印刷データをビットマップデータ作成部１１８に供給する（Ｓ３１２０）。
【００７１】
ビットマップデータ作成部１１８はビットマップの作成を開始する（Ｓ６２１０）。
他方、ＰＣ１１側において、第２印刷データ作成部１９０はビットマップの印刷データの作成を完了し（Ｓ２６０）、取得したＰＪＬ情報を印刷データの先頭に挿入する。その後、第２印刷データ作成部１９０は、送信部１１１を介して作成した印刷データを印刷装置１３に送信する（Ｓ２７０）（Ｓ６２２０）。
【００７２】
関連づけデータ付与部１１０は第２印刷データ作成部１９０が印刷データ作成を完了すると、ＩＤ１０．１０．１０．２−３０に対応する印刷データを削除する（Ｓ２８０）。
【００７３】
ＰＣ１１からＳ２７０で送信された印刷データを受信部１１３が受信し、印刷データが受信したことを判断部１１６に通知する（Ｓ３１０）。
【００７４】
判断部１１６は受信した印刷データがすでに受信している印刷データと関連した印刷データかどうかの解析を開始する（Ｓ３２０）。
【００７５】
判断部１１６は受信した印刷データの先頭のＰＪＬ情報を解析し、ＰＪＬ情報がＩＤ１０．１０．１０．２−３０と関連することを示す指定ＩＤであると（Ｓ５１０）ＩＤ１０．１０．１０．２−３０を抽出すると共に、関連する印刷データと判断する（Ｓ５２０）。
【００７６】
解析した結果、受信した印刷データは関連する印刷データと判断したので（Ｓ３３０）判断部１１６は、１０．１０．１０．２−３０と共に廃棄置換部１１７に印刷データの置換を指示する（Ｓ６２３０）。
【００７７】
廃棄置換部１１７はキュー１２２に登録されている全ＩＤの問い合わせを行い、登録されている全てのＩＤを取得し、キュー１２２にＩＤ１０．１０．１０．２−３０が登録されていないと判断すると（Ｓ４１００）、受信したビットマップの印刷データを破棄する（Ｓ４３０）（Ｓ６２４０）。
即ち、Ｓ６２１０でＩＤ１０．１０．１０．２−３０の印刷データはビットマップデータに変換され始めている。
【００７８】
ビットマップデータ作成部１１８はＩＤ１０．１０．１０．２−２０に対応する印刷データからのビットマップ作成を完了すると、印刷部１１９に作成したビットマップデータを供給する（Ｓ３１３０）（Ｓ６２５０）。
【００７９】
印刷部１１９は印刷を開始する（Ｓ３１４０）。
【実施例２】
【００８０】
実施例２のブロック構成は実施例１のそれと同一であるが、以下の構成が相違している。
即ち、ＰＣ１１において、関連づけデータ付与部１１０は、ＩＤとページＮｏを指定されると、指定されたＩＤと関連する指定ページＮｏの印刷データを意味するＰＪＬ情報を作成し、ＩＤとページＮｏと最終ページを指定されると、指定されたＩＤと関連する指定ページＮｏの印刷データで且つ、最終ページであることを意味するＰＪＬ情報を作成する。
ここでページＮｏとは印刷データのなかでそのページが何ページ目かをあらわす数値である。
【００８１】
第２印刷データ作成部１９０は、関連づけデータ付与部１１０から印刷データとＰＪＬ情報を供給されると、取得したＰＪＬ情報からＩＤを抽出し、印刷データをページ単位に処理し、ページごとに印刷データを作成し、処理しているページのページＮｏを認識し、関連づけデータ付与部１１０に現在処理している印刷データのＩＤとページＮｏを通知してＰＪＬ情報を取得する。
【００８２】
また、第２印刷データ作成部１９０は、処理している印刷データの最終ページを処理していると認識した場合、印刷データのＩＤとページＮｏと最終ページを指定してＰＪＬ情報を取得し、印刷データのＩＤとページＮｏもしくは印刷データのＩＤとページＮｏと、最終ページを指定して取得したＰＪＬ情報をページ単位に作成した印刷データごとに挿入する。
【００８３】
判断部１１６は、先頭のＰＪＬ情報を解析する際、指定ＩＤと関連する指定ページＮｏの印刷データを意味するＰＪＬ情報と認識したとき、および指定ＩＤと関連する指定ページＮｏの印刷データで且つ、最終ページを意味するＰＪＬ情報と認識したとき、受信した印刷データは以前受信した印刷データに関連すると判断し、指定ＩＤと関連する指定ページＮｏの印刷データを意味するＰＪＬ情報と認識したとき、および指定ＩＤと関連する指定ページＮｏの印刷データで且つ、最終ページを意味するＰＪＬ情報と認識したとき、ＰＪＬ情報からＩＤと共にページＮｏも抽出し、指定ＩＤと関連する指定ページＮｏの印刷データを意味するＰＪＬ情報と認識したとき、および指定ＩＤと関連する指定ページＮｏの印刷データで且つ、最終ページを意味するＰＪＬ情報と認識したとき、廃棄置換部１１７に置換を指示する際、ＩＤと共にページＮｏを通知する。
【００８４】
廃棄置換部１１７は、判断部１１６から置換を指示され、キュー１２２に登録されているＩＤの中に一致するＩＤがあった場合、ＩＤに対応した置換リストを作成していないと、ＩＤに対応した置換リストを作成し、判断部１１６から置換を指示され、キュー１２２に登録されているＩＤの中に一致するＩＤがあった場合、受信した印刷データを印刷データ記憶部１１５に記憶させ、ＩＤに対応する置換リストに指定されたページＮｏを登録し、判断部１１６から最終ページの通知と共に置換を指示され、キュー１２２に登録されているＩＤの中に一致するＩＤがあった場合、ＩＤに対応する印刷データを破棄し、ビットマップデータ作成部１１８から次に処理する印刷データの問い合わせを受けて印刷データを通知する際、通知する印刷データのＩＤに対応した置換リストを作成していた場合、印刷データと共に置換リストを通知し、ビットマップデータ作成部１１８から次に処理する印刷データの問い合わせを受けて印刷データを通知する際、通知する印刷データのＩＤに対応した置換リストを作成していて且つＩＤに対応した印刷データが存在しない場合、置換リストのみ通知する。ここで置換リストとは、印刷データの各ページのビットマップで作成された印刷データの保持状況を示すリストで、ＩＤとページＮｏが登録されている。置換リストに登録されているページＮｏとＩＤから印刷データ記憶部１１５上の印刷データから一意的に印刷データを選択することができる。
【００８５】
ビットマップデータ作成部１１８は、廃棄置換部１１７から印刷データを問い合わせ、印刷データと共に置換リストを受信してビットマップデータを作成する際、置換リスト上に登録されているページＮｏのページは置換リストのＩＤとページＮｏを使って印刷データ記憶部１１５から印刷データを取得し、印刷データ記憶部１１５から取得した印刷データを使ってビットマップデータを作成し、廃棄置換部１１７から受信した印刷ページのページＮｏに該当するページを描画するためのＰＤＬコマンドを読み飛ばし、廃棄置換部１１７から印刷データを問い合わせ印刷データと共に置換リストを受信しビットマップデータを作成する際、置換リスト上に登録されていないページＮｏのページは廃棄置換部１１７から受信した印刷データを使って該当するページ１ページ分のビットマップを作成し、廃棄置換部１１７から印刷データを問い合わせ、置換リストのみ受信しビットマップを作成する際、置換リスト上に登録されているページＮｏのページを置換リストのＩＤとページＮｏを利用し印刷データ記憶部１１５から印刷データを取得し、印刷データ記憶部１１５から取得した印刷データを利用しビットマップデータを作成する。
【００８６】
次に、実施例２の第２印刷データ作成部１９０の動作フローチャートを示す図７と、実施例２の判断部１１６の判断フローチャートを示す図８と、実施例２の廃棄置換部１１７が関連する印刷データを受信した場合のフローチャートを示す図９と、実施例２のビットマップデータ作成部１１８の動作のフローチャートを示す図１０と、及び図１により本実施例の動作を説明する。
【００８７】
利用者は、アプリケーション１４上で開いたドキュメントＡ１６０を印刷するためアプリケーション１４に印刷を指示する。印刷指示を受けたアプリケーション１４はドキュメントＡ１６０の画像データをドライバ１２に供給する。
【００８８】
ドライバ１２と印刷装置１３は実施例１と同様に処理を進める。このとき、ドキュメントＡ１６０から第１印刷データ作成部１８０が作成した印刷データに関連づけデータ付与部１１０が割り振ったＩＤは１０．１０．１０．２−１００である。
【００８９】
廃棄置換部１１７はキュー１２２からＩＤを取り出し、ＩＤ１０．１０．１０．２−１００を取得すると、印刷データ記憶部１１５からＩＤ１０．１０．１０．２−１００に対応する印刷データをビットマップデータ作成部１１８に供給する。
【００９０】
ビットマップデータ作成部１１８は供給された印刷データからビットマップデータ作成を開始する。
【００９１】
ビットマップデータ作成部１１８は置換リストの受信がないと（Ｓ１０１０）、廃棄置換部１１７から供給された印刷データを使いビットマップ作成を開始する。
【００９２】
利用者はアプリケーション１４上で開いたドキュメントＢ１２０を印刷するためアプリケーション１４に印刷を指示する。
印刷指示を受けたアプリケーション１４はドキュメントＢ１２０の画像データをドライバ１２に送信する。
【００９３】
ドライバ１２と印刷装置１３は実施例１と同様に処理を進める。
このとき、ドキュメントＢ１２０から第１印刷データ作成部１８０が作成した印刷データに関連づけデータ付与部１１０が割り振ったＩＤは１０．１０．１０．２−２００である。
【００９４】
ドライバ１２の受信部１１２はビジーのビジー情報を受信すると、関連づけデータ付与部１１０はビジー情報のＩＤ１０．１０．１０．２−２００に関連することを意味するＰＪＬ情報を作成し、作成したＰＪＬ情報とＩＤ１０．１０．１０．２−２００に対応する印刷データを第２印刷データ作成部１９０に供給する。
【００９５】
第２印刷データ作成部１９０はＰＪＬ情報と印刷データの供給を受けると、現在作成中のページＮｏであるＮを１に初期化する（Ｓ７１０）。第２印刷データ作成部１９０は、関連づけデータ付与部１１０から通知されたＰＪＬ情報からＩＤ１０．１０．１０．２−２００を抽出する（Ｓ７２０）。その後、１ページ目のビットマップの印刷データを作成する（Ｓ７３０）。
印刷データが１ページだけの場合（Ｓ７４０）、第２印刷データ作成部１９０はＩＤ１０．１０．１０．２−２００と現在のＮの値である１と最終ページを指定して関連づけデータ付与部１１０にＰＪＬ情報を要求する。
【００９６】
関連づけデータ付与部１１０はＩＤ１０．１０．１０．２−２００と関連するページＮｏ１で且つ最終ページをあらわすＰＪＬ情報を作成して、第２印刷データ作成部１９０に通知する。
【００９７】
第２印刷データ作成部１９０はこのＰＪＬ情報を取得し（Ｓ７８０）、作成した印刷データの先頭に挿入した後、送信部１１１を介して印刷装置１３に送信する（Ｓ７９０）。
【００９８】
印刷装置１３の受信部１１３が印刷データを受信すると、判断部１１６は受信した印刷データの先頭のＰＪＬ情報を解析し、ＩＤ１０．１０．１０．２−２００と関連するページＮｏ１で且つ最終ページをあらわすので（Ｓ８１０）（Ｓ８２０）、ＰＪＬ情報からＩＤ１０．１０．１０．２−２００とページＮｏ１を抽出し、関連する最終の印刷データと判断する（Ｓ８４０）。
【００９９】
判断部１１６はＩＤ１０．１０．１０．２−２００とページＮｏ１と最終ページの情報を通知しながら印刷データの置換を廃棄置換部１１７に指示する。
【０１００】
廃棄置換部１１７はキュー１２２のＩＤに１０．１０．１０．２−２００があると（Ｓ９１０）、ＩＤ１０．１０．１０．２−１００に対応する置換リストの作成状況を確認する。
確認した結果、まだ置換リストを作成していないと（Ｓ９２０）、置換リストを作成し、その置換リストのＩＤに１０．１０．１０．２−２００を設定し（Ｓ９３０）、受信した印刷データ（ビットマップ）を印刷データ記憶部１１５に記憶させた後、ＩＤ１０．１０．１０．２−２００の置換リストにページＮｏ１を登録する（Ｓ９４０）。
更に、最終ページの通知により（Ｓ９５０）印刷データ記憶部１１５上のＩＤ１０．１０．１０．２−２００に対応した印刷データを（第１印刷データ作成部１８０が作成）削除する（Ｓ９６０）。
【０１０１】
次に、利用者はアプリケーション１４上で開いたドキュメントＣ１２１を印刷するためアプリケーション１４に印刷を指示する。
印刷指示を受けたアプリケーション１４はドキュメントＣ１２１の画像データをドライバ１２に送信する。
【０１０２】
ドライバ１２と印刷装置１３は実施例１とのドキュメントＢ１２０を処理した時と同様に処理を進める。このとき、ドキュメントＣ１２１から第１印刷データ作成部１８０が作成した印刷データに関連づけデータ付与部１１０が割り振ったＩＤは１０．１０．１０．２−３００である。
【０１０３】
ドライバ１２の受信部１１２はビジーのビジー情報を受信すると、関連づけデータ付与部１１０はビジー情報のＩＤ１０．１０．１０．２−３００に関連することを意味するＰＪＬ情報を作成し、作成したＰＪＬ情報とＩＤ１０．１０．１０．２−３００に対応する印刷データを第２印刷データ作成部１９０に供給する。
【０１０４】
第２印刷データ作成部１９０はＰＪＬ情報と印刷データの通知を受けると、現在作成中のページＮｏであるＮを１に初期化する（Ｓ７１０）。第２印刷データ作成部１９０は、関連づけデータ付与部１１０から通知されたＰＪＬ情報からＩＤ１０．１０．１０．２−３００を抽出する（Ｓ７２０）。
その後、Ｎ＝１なので１ページ目のビットマップの印刷データを作成する（Ｓ７３０）。
印刷データには次ページが存在したので、第２印刷データ作成部１９０はＩＤ１０．１０．１０．２−３００と現在のＮの値である１を指定して関連づけデータ付与部１１０にＰＪＬ情報を要求する。
【０１０５】
関連づけデータ付与部１１０はＩＤ１０．１０．１０．２−３００と関連するページＮｏ１をあらわすＰＪＬ情報を作成して第２印刷データ作成部１９０に通知する。
【０１０６】
第２印刷データ作成部１９０はＰＪＬ情報を取得し（Ｓ７５０）、作成した印刷データの先頭に挿入した後、送信部１１１を介して印刷装置１３に送信する（Ｓ７６０）。
その後Ｎを２に更新し（Ｓ７７０）、次ページのビットマップ印刷データ作成を開始する（Ｓ７３０）。
【０１０７】
印刷装置１３の受信部１１３が印刷データを受信すると、判断部１１６は受信した印刷データの先頭のＰＪＬ情報を解析し、ＩＤ１０．１０．１０．２−３００と関連するページＮｏ１をあらわすので（Ｓ８１０）（Ｓ８２０）、このＰＪＬ情報からＩＤ１０．１０．１０．２−３００とページＮｏ１を抽出し、関連する印刷データと判断する（Ｓ８３０）。
【０１０８】
判断部１１６はＩＤ１０．１０．１０．２−３００とページＮｏ１の情報を通知しながら印刷データの置換を廃棄置換部１１７に指示する。
【０１０９】
廃棄置換部１１７はキュー１２２のＩＤにＩＤ１０．１０．１０．２−３００があると（Ｓ９１０）ＩＤ１０．１０．１０．２−３００に対応する置換リストの作成状況を確認する。確認した結果、まだ置換リストを作成していないと（Ｓ９２０）、置換リストを作成し、その置換リストのＩＤに１０．１０．１０．２−３００を設定し（Ｓ９３０）、受信した印刷データ（ビットマップ）を印刷データ記憶部１１５に記憶させた後、ＩＤ１０．１０．１０．２−３００の置換リストにページＮｏ１を登録する（Ｓ９４０）。
また、最終ページの通知がないので（Ｓ９５０）処理を終了する。
【０１１０】
ビットマップデータ作成部１１８はＩＤ１０．１０．１０．２−１００に対応する印刷データのビットマップ作成を完了する（Ｓ１０１１０）。
【０１１１】
ビットマップデータ作成部１１８は廃棄置換部１１７に次に処理をする印刷データを問い合わせたところ、ＩＤ１０．１０．１０．２−２００の置換リストを取得する。
【０１１２】
ビットマップデータ作成部１１８は置換リストを受信し（Ｓ１０１０）、印刷データを受信しなかったので（Ｓ１０２０が受信なし）、置換リストに登録されているＩＤ１０．１０．１０．２−２００のページＮｏ１に対応する印刷データからビットマップ作成を開始する。
【０１１３】
ビットマップデータ作成部１１８はページＮｏ１のビットマップ作成を完了したところ、置換リストに登録されているページＮｏは１のみだったので、印刷データのビットマップ化を完了する（Ｓ１０１００）。
【０１１４】
ビットマップデータ作成部１１８は廃棄置換部１１７に次に処理をする印刷データを問い合わせ、ＩＤ１０．１０．１０．２−３００の印刷データと置換リストを取得する。
【０１１５】
ビットマップデータ作成部１１８は置換リストを受信し（Ｓ１０１０が受信有り）、印刷データも受信したので（Ｓ１０２０が受信有り）、現在処理中のページＮｏＰを１に初期化する（Ｓ１０３０）。
【０１１６】
ページＮｏ１が置換リストに登録されているので（Ｓ１０４０がページＮｏＰが登録）ＩＤ１０．１０．１０．２−３００とページＮｏ１を利用し印刷データ記憶部１１５から印刷データを取得し、ビットマップを作成する（Ｓ１０５０）。
【０１１７】
ページＮｏ１に対応するページのビットマップを作成したので、廃棄置換部１１７から取得した印刷データを改ページコマンドまで読み飛ばし（Ｓ１０７０）、印刷データ記憶部１１５のＩＤ１０．１０．１０．２−３００のページＮｏ１に対応する印刷データを削除して（Ｓ１０８０）、Ｐを２に更新する（Ｓ１０９０）。
【０１１８】
ページＮｏ２が置換リストに登録されていないと（Ｓ１０４０がページＮｏＰが非登録）、
廃棄置換部１１７から受信した印刷データからページＮｏ２に対応するビットマップを作成し（Ｓ１０６０）、Ｐを３に更新する。
【０１１９】
廃棄置換部１１７から受信した印刷データの処理を完了すると（Ｓ１０３０が完了）ビットマップデータ作成部１１８は処理を完了する。
【０１２０】
第２印刷データ作成部１９０はＮ＝２より２ページ目の印刷データを作成する（Ｓ７３０）。
【０１２１】
印刷データは２ページのデータだったので（Ｓ７４０が存在しない）、第２印刷データ作成部１９０はＩＤ１０．１０．１０．２−３００と現在のＮの値である２と最終ページを指定して関連づけデータ付与部１１０にＰＪＬ情報を要求する。
【０１２２】
関連づけデータ付与部１１０はＩＤ１０．１０．１０．２−３００と関連するページＮｏ２で且つ最終ページをあらわすＰＪＬ情報を作成して第２印刷データ作成部１９０に通知する。
【０１２３】
第２印刷データ作成部１９０はＰＪＬ情報を取得し（Ｓ７８０）、作成した印刷データの先頭に挿入した後、送信部１１１を介して印刷装置１３に送信する（Ｓ７９０）。
【０１２４】
印刷装置１３の受信部１１３が印刷データを受信すると、判断部１１６は受信した印刷データの先頭のＰＪＬ情報を解析し、ＩＤ１０．１０．１０．２−３００と関連するページＮｏ２で且つ最終ページをあらわすので（Ｓ８１０が関連をしめすＰＪＬ）（Ｓ８２０が関連を示す最後のページのＰＪＬ）、ＰＪＬ情報からＩＤ１０．１０．１０．２−３００とページＮｏ１を抽出し、関連する最終の印刷データと判断する（Ｓ８４０）。
【０１２５】
判断部１１６はＩＤ１０．１０．１０．２−３００とページＮｏ２と最終ページの情報を通知しながら印刷データの置換を廃棄置換部１１７に指示する。
【０１２６】
廃棄置換部１１７はキュー１２２のＩＤにＩＤ１０．１０．１０．２−３００がないと（Ｓ９１０が該当ＩＤなし）受信した印刷データを破棄し処理を終了する。
【０１２７】
以上のように本実施例によれば、ＰＣから印刷装置に印刷データを送信した際、印刷装置がすでに他の印刷データを処理していた場合、ＰＣによりページ単位でのビットマップ化が行われて再送するので、印刷時間を短縮できる。
【符号の説明】
【０１２８】
１１    ＰＣ
１３    印刷装置
１１０    関連づけデータ付与部
１１５    印刷データ記憶部
１１６    判断部
１１７    廃棄置換部
１１８    ビットマップデータ作成部
１２２    キュー
１７０    画像データ記憶部
１８０  第１印刷データ作成部
１９０  第２印刷データ作成部
【図１】
2011240509.tif 000003
【図２】
2011240509.tif 000004
【図３】
2011240509.tif 000005
【図４】
2011240509.tif 000006
【図５】
2011240509.tif 000007
【図６】
2011240509.tif 000008
【図７】
2011240509.tif 000009
【図８】
2011240509.tif 000010
【図９】
2011240509.tif 000011
【図１０】
2011240509.tif 000012